(57)【特許請求の範囲】
【請求項１】
平板部品を挿抜自在に保持する保持部材と、
前記保持された状態での前記平板部品の底面と略同一面上に存し、前記保持部材から引き抜かれた前記平板部品を載置し、前記平板部品の外周よりも外側に外周を有して露出している載置面を有する載置部材と、を備え、
前記載置面に凹部を有し、前記凹部は、前記凹部の開口部の縁に沿う回転軸での前記平板部品の回転を前記載置面から１／４回転未満に規制する係止部を有する、挿抜構造。
【請求項２】
前記係止部は、斜面である、請求項１記載の挿抜構造。
【請求項３】
前記凹部は、前記平板部品の挿抜方向または前記挿抜方向の垂直方向に、前記平板部品の前記挿抜方向の幅または前記挿抜方向に垂直方向の幅よりも大きい幅を有し、前記挿抜方向の垂直方向または前記挿抜方向に前記斜面を有する、請求項２記載の挿抜構造。
【請求項４】
前記凹部は、前記凹部の前記保持部材の側に第１の斜面を有し、前記凹部の前記保持部材の反対側に第２の斜面を有する、請求項２または３記載の挿抜構造。
【請求項５】
前記係止部は、前記凹部の底面と側面の少なくとも一つに設けられている凸部を有する、請求項１記載の挿抜構造。
【請求項６】
前記凹部は、前記平板部品と前記凹部とが前記回転の回転軸に沿う線分を共有することとなるような深さを有する、請求項１から５の内の１項記載の挿抜構造。
【請求項７】
前記載置面は、前記平板部品と接する凸部を有する、請求項１から６の内の１項記載の挿抜構造。
【請求項８】
前記平板部品は、メモリカードを含む、請求項１から７の内の１項記載の挿抜構造。
【請求項９】
前記保持部材は、コネクタを含む、請求項１から８の内の１項記載の挿抜構造。
【請求項１０】
請求項１から９の内の１項記載の挿抜構造を備えている電子機器。
【発明の詳細な説明】
【技術分野】
【０００１】
本発明は、メモリカードなどの平板部品を挿抜する構造とこれを備えた電子機器に関する。
【背景技術】
【０００２】
携帯電話機やスマートフォンなどの電子機器は、Ｕ−ＳＩＭ（Ｕｎｉｖｅｒｓａｌ  Ｓｕｂｓｃｒｉｂｅｒ  Ｉｄｅｎｔｉｔｙ  Ｍｏｄｕｌｅ）カードやＳＤカード（Ｓｅｃｕｒｅ  Ｄｉｇｉｔａｌ  Ｍｅｍｏｒｙ  Ｃａｒｄ）など、ユーザにより挿抜されるカード状の電子部品（以下、カード部品という）を収容するコネクタ（スロットともいう）を有している。これらの電子機器では、小さいカード部品を狭いスペースで挿抜する必要がある。
【０００３】
図１３は、コネクタにカバーを設けてカード部品を挿抜する電子機器を、図１４は、トレーを設けてカード部品を挿抜する電子機器を、各々示す。これらの場合は、カバーやトレー等の部品が追加されるため、コストが増大する。
【０００４】
図１５は、コネクタから引き抜かれたカード部品が位置する挿抜面を有する電子機器を示す。図１５では、電子機器の上面図と、Ｈ−Ｈ断面から矢印Ｈ’の方向を見た図とを示す。挿抜面は、機器のカバーより一段下がった面に露出して設けられている。この場合、カード部品をコネクタから挿抜面に引き出しても、カード部品は引き出される方向に存在するカバーに当たってしまう。さらに、挿抜面にはカード部品を指先で摘むだけのスペースがない。そのため、カード部品を取り出すことができない。カード部品を取り出すためには、機器を逆さまにして取り出すことになり、操作性が悪い。
【０００５】
図１６は、挿抜面のカード部品が引き出される方向の延長上に存在するカバーの側面に切り欠きを設けることで、カード部品の抜去の際の操作性を改善した電子機器を示す。しかしながら、この切り欠きを設けることで、カバーのデザインに制約をかけてしまっている。
【０００６】
また、図１７と図１８とは、電池の収納スペースの端面や底面にコネクタを設けた電子機器を示す。しかしながら、これらの場合は、カード部品を挿抜する際には電池を外す必要があり、挿抜までの手順が増えてしまう。
【０００７】
特許文献１と特許文献２には、部品を着脱する面に段差を設け、この段差で部品を傾けることによって部品を着脱する機器が開示されている。これにより、機器を逆さまにしたり手順を増やしたりすることなく、また、カバーの側面に切り欠けを設けることなく、部品を着脱することを可能にしている。
【先行技術文献】
【特許文献】
【０００８】
【特許文献１】実開平４−４６３５０号公報
【特許文献２】特開２００６−５９６００号公報
【発明の概要】
【発明が解決しようとする課題】
【０００９】
しかしながら、特許文献１および２に開示された技術は、以下の課題を有している。すなわち、特許文献１および２の技術では、カード部品を着脱する面に設けられた段差にカード部品の端部が急速に落ち込むことで、カード部品が弾かれて飛び出し、カード部品を紛失したり壊したりする危険があることである。また、特許文献１および２の技術は、バネの弾性力を利用して抜去する機構である。そのため、特許文献１および２の機構では、追加の部品としてバネを必要として部品点数が増えるため、コストが増大する。
【００１０】
本発明は、上記の課題に鑑みてなされたものであり、その目的は、デザインの制約を抑制しつつ、容易かつ安全にカード部品を挿抜する挿抜構造を、部品点数を少なく実現することにある。
【課題を解決するための手段】
【００１１】
本発明の挿抜構造は、平板部品を挿抜自在に保持する保持部材と、前記保持された状態での前記平板部品の底面と略同一面上に存し、前記保持部材から引き抜かれた前記平板部品を載置し、前記平板部品の外周よりも外側に外周を有して露出している載置面を有する載置部材と、を備え、前記載置面に凹部を有し、前記凹部は、前記凹部の開口部の縁に沿う回転軸での前記平板部品の回転を前記載置面から１／４回転未満に規制する係止部を有する。
【００１２】
本発明の電子機器は、平板部品を挿抜自在に保持する保持部材と、前記保持された状態での前記平板部品の底面と略同一面上に存し、前記保持部材から引き抜かれた前記平板部品を載置し、前記平板部品の外周よりも外側に外周を有して露出している載置面を有する載置部材と、を備え、前記載置面に凹部を有し、前記凹部は、前記凹部の開口部の縁に沿う回転軸での前記平板部品の回転を前記載置面から１／４回転未満に規制する係止部を有する挿抜構造を備えている。
【発明の効果】
【００１３】
本発明によれば、デザインの制約を抑制しつつ、容易かつ安全にカード部品を挿抜する挿抜構造を、部品点数を少なく実現することができる。
【図面の簡単な説明】
【００１４】
【図１】本発明の第１の実施形態の挿抜構造およびこれを用いた電子機器を示す図である。
【図２】本発明の第２の実施形態の挿抜構造およびこれを用いた電子機器を示す図である。
【図３】本発明の第２の実施形態の挿抜構造の載置面を示す上面図である。
【図４】本発明の第２の実施形態の挿抜構造の凹部の斜面と平板部品との関係を示す図である。
【図５】本発明の第３の実施形態の挿抜構造およびこれを用いた電子機器を示す図である。
【図６】本発明の第４の実施形態のカード部品挿抜構造およびこれを用いた電子機器を示す図である。
【図７】本発明の第４の実施形態のカード部品挿抜構造の変形例の構造を示す図である。
【図８】本発明の第４の実施形態のカード部品挿抜構造の動作を説明するための図である。
【図９】本発明の第５の実施形態のカード部品挿抜構造およびこれを用いた電子機器を示す図である。
【図１０】本発明の第５の実施形態のカード部品挿抜構造の動作を説明するための図である。
【図１１】本発明の第６の実施形態のカード部品挿抜構造およびこれを用いた電子機器を示す図である。
【図１２】本発明の第６の実施形態のカード部品挿抜構造の動作を説明するための図である。
【図１３】関連するカード部品挿抜構造およびこれを用いた電子機器を示す図である。
【図１４】関連するカード部品挿抜構造およびこれを用いた電子機器を示す図である。
【図１５】関連するカード部品挿抜構造およびこれを用いた電子機器を示す図である。
【図１６】関連するカード部品挿抜構造およびこれを用いた電子機器を示す図である。
【図１７】関連するカード部品挿抜構造およびこれを用いた電子機器を示す図である。
【図１８】関連するカード部品挿抜構造およびこれを用いた電子機器を示す図である。
【発明を実施するための形態】
【００１５】
以下、図を参照しながら、本発明の実施形態を詳細に説明する。但し、以下に述べる実施形態には、本発明を実施するために技術的に好ましい限定がされているが、発明の範囲を以下に限定するものではない。
（第１の実施形態）
図１は、本発明の第１の実施形態の挿抜構造１０およびこれを用いた電子機器１を示す図である。図１では、電子機器１の上面図と挿抜構造１０のＡ−Ａ断面図とを示す。
【００１６】
本実施形態の挿抜構造１０は、平板部品１２を挿抜自在に保持する保持部材１１を備えている。さらに、前記保持された状態での前記平板部品１２の底面と略同一面上に在し、前記保持部材１１から引き抜かれた前記平板部品１２を載置し、前記平板部品１２の外周よりも外側に外周を有して露出している載置面１４を有する載置部材１３を備えている。さらに、前記載置面１４に凹部１５を有する。さらに、前記凹部１５は、前記凹部１５の開口部１５１の縁１５２に沿う回転軸１７での前記平板部品１２の回転を前記載置面１４から１／４回転未満に規制する係止部１６を有する。
【００１７】
本実施形態によれば、指先で、平板部品１２を凹部１５により傾けて摘み出すことができる。よって、平板部品１２を保持部材１１から引き抜く方向の延長上に存在する電子機器１の側面１８に、切り欠きを設ける必要がないため、デザインへの制約を抑制できる。また、平板部品１２は係止部１６に接して傾くことができる。これにより、段差がある場合に生じ易い、平板部品１２が段差で急速に大きく傾くことで弾かれて飛び出すことが抑制され、平板部品１２を紛失したり壊したりする危険が抑制される。
【００１８】
また、載置面１４は露出しているので、平板部品１２を抜去する前に電池を取り外すなどの手間が要らず、抜去の際の作業工数が抑制される。さらに、バネなどの追加の部品を必要としないため、部品点数が抑制されコストが抑制される。
【００１９】
以上のように、本実施形態によれば、デザインの制約を抑制しつつ、容易かつ安全にカード部品を挿抜する挿抜構造を、部品点数を少なく実現することができる。
（第２の実施形態）
図２は、本発明の第２の実施形態の挿抜構造２０およびこれを用いた電子機器２を示す図である。図２では、電子機器２の上面図と挿抜構造２０のＢ−Ｂ断面図とを示す。
【００２０】
本実施形態の挿抜構造２０は、平板部品２２を挿抜自在に保持する保持部材２１を備えている。さらに、前記保持された状態での前記平板部品２２の底面と略同一面上に在し、前記保持部材２１から引き抜かれた前記平板部品２２を載置し、前記平板部品２２の外周よりも外側に外周を有して露出している載置面２４を有する載置部材２３を備えている。さらに、前記載置面２４に凹部２５を有する。さらに、前記凹部２５は、前記凹部２５の開口部２５１の縁２５２に沿う回転軸２７での前記平板部品２２の回転を前記載置面２４から１／４回転未満に規制する斜面２６を有する。
【００２１】
図３は、載置面２４に設けられる凹部２５の、平面視の形状の例を示す上面図である。（ａ）の凹部２５ａは、長方形の形状を有する。凹部２５ａは、斜面２６ａと底２７ａを有し、回転軸２７ａを中心として斜面２６ａに沿って平板部品２２を傾けることができる。ここで回転軸２７ａとは、平板部品２２を凹部２５の開口部２５１の縁２５２に沿って回転させる際の回転軸である。（ａ）の場合の回転軸２７ａは、挿抜方向に対して垂直である。
【００２２】
これに対して（ｂ）の凹部２５ｂは、台形の形状を有する。凹部２５ｂは、斜面２６ｂと底２７ｂを有し、回転軸２７ｂを中心として斜面２６ｂに沿って平板部品２２を傾けることができる。また、（ｃ）の凹部２５ｃは、三角形の形状を有する。凹部２５ｃは、斜面２６ｃと底２７ｃを有し、回転軸２７ｃを中心として斜面２６ｃに沿って平板部品２２を傾けることができる。（ｂ）や（ｃ）の回転軸２７ｂ、２７ｃは、挿抜方向に対して垂直から傾いている。
【００２３】
図４は、回転軸２７に垂直方向の斜面２６の長さｘと、回転軸２７に垂直方向の平板部品の長さｙとの関係を示す。凹部２５の斜面２６に沿って平板部品２２を傾ける際の回転軸２７は、挿抜方向に対して垂直の場合も、挿抜方向に対して垂直から傾いている場合も可能である。図４では、挿抜方向に対して垂直から傾いている場合を示している。
【００２４】
回転軸２７に対して垂直方向の斜面の長さｘは、回転軸に対して垂直方向の平板部品２２の長さｙよりも短く設定される。この設定は、凹部２５の深さ２５３と斜面２６の傾斜角度とを設定することで可能である。これにより、傾斜させた平板部品２２が滑るなどして凹部２５の底の方向にずれたとしても、ずれた後の傾斜させた平板部品２２と、斜面２６と載置面２４との縁２５２（図２を参照）とは、回転軸２７に沿う線分を共有することができる。これにより、平板部品２２を回転軸２７を中心にして傾けたときには、載置面２４よりも上側に位置する平板部品２２の部分が生じ、この部分を指先で摘むことによって、平板部品２２を取り出すことができる。
【００２５】
このとき、凹部２５の回転軸２７に沿う線分ａは平板部品２２の回転軸２７に沿う線分ｂよりも長い。さらに、凹部２５の平面視の外周は、平板部品２２の斜面２６に沿う部分が載置面２４に面しているときの平板部品２２の斜面２６に沿う部分の外周よりも、外側に位置する。
【００２６】
一方で、凹部２５の平面視の外周（開口部２５１）は、平板部品２２が挿抜方向に移動する際に、平板部品２２の全体が凹部２５に落ち込むことが無いように設定される。すなわち、例えば、挿抜方向に対して垂直な平板部品２２の幅よりも、挿抜方向に対して垂直な凹部２５の開口部２５１の幅を広く設定する場合、挿抜方向の平板部品２２の幅よりも、挿抜方向の開口部２５１の幅を狭く設定する。また、挿抜方向の平板部品２２の幅よりも、挿抜方向の開口部２５１の幅を広く設定する場合、挿抜方向に対して垂直な平板部品２２の幅よりも、挿抜方向に対して垂直な凹部２５の開口部２５１の幅を狭く設定する。以上のように設定することで、平板部品２２が挿抜方向に移動する際に、平板部品２２の全体が凹部２５に落ち込むことは無くなる。
【００２７】
なお、凹部２５の平面視の外周の各辺は、直線には限定されず、曲線を有していても、凹凸を有していてもよい。斜面２６と載置面２４との縁２５２は、平板部品２２が回転するときの回転軸が形成されていれば、直線には限定されず、曲線を有していても、凹凸を有していてもよい。
【００２８】
なお、平板部品２２の平面視での形状は、長方形には限定されない。平板部品２２は各種多角形や円形や楕円形、また、平面視の外周に凹凸を有する形状とすることができる。
【００２９】
本実施形態によれば、指先で、平板部品２２を凹部２５により傾けて摘み出すことができる。よって、平板部品２２を保持部材２１から引き抜く方向の延長上に存在する電子機器２の側面２８に、切り欠きを設ける必要がないため、デザインへの制約を抑制できる。また、凹部２５は斜面２６を有して載置面２４と繋がっているため、平板部品２２は斜面２６に沿って傾くことができる。これにより、段差がある場合に生じ易い、平板部品２２が段差で急速に大きく傾くことで弾かれて飛び出すことが抑制され、平板部品２２を紛失したり壊したりする危険が抑制される。
【００３０】
また、載置面２４は露出しているので、平板部品２２を抜去する前に電池を取り外すなどの手間が要らず、抜去の際の作業工数が抑制される。さらに、バネなどの追加の部品を必要としないため、部品点数が抑制されコストが抑制される。
【００３１】
以上のように、本実施形態によれば、デザインの制約を抑制しつつ、容易かつ安全にカード部品を挿抜する挿抜構造を、部品点数を少なく実現することができる。
（第３の実施形態）
図５は、本発明の第３の実施形態の挿抜構造３０およびこれを用いた電子機器３を示す図である。図５では、電子機器３の上面図と挿抜構造３０のＣ−Ｃ断面図とを示す。
【００３２】
本実施形態の挿抜構造３０は、平板部品３２を挿抜自在に保持する保持部材３１を備えている。さらに、前記保持された状態での前記平板部品３２の底面と略同一面上に在し、前記保持部材３１から引き抜かれた前記平板部品３２を載置し、前記平板部品３２の外周よりも外側に外周を有して露出している載置面３４を有する載置部材３３を備えている。さらに、前記載置面３４に凹部３５を有する。さらに、前記凹部３５は、前記凹部３５の開口部３５１の縁３５２に沿う回転軸３７での前記平板部品３２の回転を前記載置面３４から１／４回転未満に規制する、前記凹部３５の底面と側面の少なくとも一つに設けられている凸部３６を有する。
【００３３】
凸部３６は、図５の（ａ）〜（ｄ）に示すように、凹部３５の底面に設けられている場合（ａ）、側面に設けられている場合（ｂ）、底面と側面の双方に設けられている場合（ｃ）、Ｃ−Ｃ断面に対して奥行き方向の側面に設けられている場合（ｄ）が可能である。
【００３４】
なお、図５では、凸部３６の断面を四角形としているが、これには限定されない。凸部３６の断面は、任意の多角形や円形や楕円形とすることができる。また、凸部３６の断面は、凹凸を有していてもよい。また、凸部３６は複数であってもよい。凸部３６は、凹部３５の開口部３５１の縁３５２に沿って平板部品３２を回転させる際に、回転させた平板部品３２の底面と接して平板部品３２を載置面３４に対して９０°未満の斜めに係止させることができるものであれば、上記には限定されない。
【００３５】
また、凹部３５の深さ３５３は、傾斜させた平板部品３２が滑るなどして凹部３５の底の方向にずれたとしても、ずれた後の平板部品３２と、凹部３５の縁３５２とが、回転軸３７に沿う線分を共有することのできる深さに設定することができる。ここで回転軸３７とは、平板部品３２を凹部３５の開口部３５１の縁３５２に沿って回転させる際の回転軸である。これにより、傾斜した平板部品３２が、その後に凹部３５の底の方向にずれたとしても、載置面３４よりも上側に位置する平板部品３２の部分を生じることができ、この部分を指先で摘むことによって、平板部品３２を取り出すことができる。
【００３６】
本実施形態によれば、指先で、平板部品３２を凹部３５により傾けて摘み出すことができる。よって、平板部品３２を保持部材３１から引き抜く方向の延長上に存在する電子機器３の側面３８に、切り欠きを設ける必要がないため、デザインへの制約を抑制できる。また、平板部品３２は凸部３６に接して傾くことができる。これにより、段差がある場合に生じ易い、平板部品３２が段差で急速に大きく傾くことで弾かれて飛び出すことが抑制され、平板部品３２を紛失したり壊したりする危険が抑制される。
【００３７】
また、載置面３４は露出しているので、平板部品３２を抜去する前に電池を取り外すなどの手間が要らず、抜去の際の作業工数が抑制される。さらに、バネなどの追加の部品を必要としないため、部品点数が抑制されコストが抑制される。
【００３８】
以上のように、本実施形態によれば、デザインの制約を抑制しつつ、容易かつ安全にカード部品を挿抜する挿抜構造を、部品点数を少なく実現することができる。
（第４の実施形態）
図６は、本発明の第４の実施形態のカード部品挿抜構造４０およびこれを用いた電子機器４を示す図である。図６では、電子機器４の上面図と、カード挿抜構造４０のＤ−Ｄ断面から矢印Ｄ’の方向を見た図とを示す。
【００３９】
本実施形態のカード部品挿抜構造４０は、カード部品４２を挿抜するコネクタ４１と、コネクタ４１から引き抜かれたカード部品４２を載置するカード挿抜面４４とを有する。カード挿抜面４４は、コネクタ４１に保持された状態でのカード部品４２の底面と略同一面上に存し、電子機器４の外枠であるケース４３の外表面より内側で露出している。さらに、カード挿抜面４４は、カード部品４２の挿抜方向の垂直方向に、カード部品４２の幅よりも大きい幅の窪み４５を有する。さらに、窪み４５は、窪み４５の挿抜方向に斜面４６と斜面４６’を有する。
【００４０】
ここで、カード部品４２の幅とは、カード部品４２の挿抜方向に垂直方向のカード部品４２の長さをいう。また、カード部品４２の挿抜方向のカード部品４２の長さを、カード部品４２の奥行きと呼ぶ。また、カード部品４２の挿抜方向を奥行方向と呼ぶ。カード部品４２の平面視での形状は、以上のような幅と奥行とを有する長方形とすることができる。
【００４１】
本実施形態のカード部品挿抜構造４０は、以下に説明するように、カード部品４２を挿入する際には、指先でカード部品４２をコネクタ４１に挿入することができる。また、カード部品４２を抜去する際には、コネクタ４１から引き抜かれたカード部品４２を窪み４５により斜めにし、指先で摘まむことにより取り出すことができる。
【００４２】
窪み４５は、窪み４５のコネクタ４１の側に斜面４６’を有し、窪み４５のコネクタ４１の反対側に斜面４６を有し、斜面４６と斜面４６’は、窪み４５の底４７とカード挿抜面４４を繋げている。
【００４３】
窪み４５は、カード挿抜面４４の奥行方向には、カード部品４２の奥行きよりも短い奥行きを有する。窪み４５は、カード挿抜面４４の奥行方向に垂直方向には、カード部品４２の幅よりも長い幅を有する。窪み４５のカード挿抜面４４に面する形状、すなわち平面視の形状は、以上のような奥行きと幅を有する長方形とすることができる。さらに、窪み４５は、斜面４６の長さをカード部品４２の奥行きよりも短くする深さを有する。
【００４４】
窪み４５は、以上の奥行きと幅と深さとを有することにより、図６のように、コネクタ４１から引き抜かれたカード部品４２の４２ａの状態を、４２ｂの状態ように、カード挿抜面４４よりも上側に位置する部分４２ｂ’を有して傾かせることができる。この部分４２ｂ’を指先で摘むことによって、カード部品４２を取り出すことができる。窪み４５は、カード部品４２の全体をカード挿抜面４４よりも下側に位置させることはない。窪み４５は、カード部品４２をカード挿抜面４４に対して９０°未満の傾きで傾かせることができる。
【００４５】
カード部品４２を挿入する際には、カード挿抜面４４に沿って指先でカード部品４２をコネクタ４１に押し込むことによって挿入することができる。このとき、カード部品４２の先端が窪み４５に落ち込むことがあっても、斜面４６’により、カード部品４２の先端は窪み４５に引っ掛かることなく、滑らかにコネクタ４１に挿入することができる。
【００４６】
また、カード部品４２を抜去する際には、まず、コネクタ４１の端部から露出しているカード部品４２の端部を、爪などで引っ掛けてカード挿抜面４４に沿って引き抜く。次に、窪み４５の上に位置するカード部品４２の端部を、指先で窪み４５に押し込むことで、カード部品４２を斜面４６に沿って傾ける。斜面４６に沿って傾いたカード部品４２を、指先で摘んで取り出すことができる。
【００４７】
なお、窪み４５の底４７は、底４７に達したカード部品４２の端部が引っ掛からなければよく、平坦形状や湾曲形状とすることができる。
【００４８】
なお、窪み４５の斜面４６と斜面４６’とは、窪み４５の底４７からカード挿抜面４４にかけて、平坦な斜面を有していてもよく、湾曲するなどの曲面を有する斜面を有していてもよく、凹凸を有していてもよい。
【００４９】
なお、窪み４５の平面視の形状は、カード部品４２の挿抜方向と挿抜方向に垂直な方向とを有する長方形には限定されない。窪み４５のカード挿抜面４４に面する形状は、カード部品４２を斜面に沿って傾けて、指先で摘んで取り出すことができるものであればよい。例えば、窪み４５のカード挿抜面４４に面する形状は、図３に示したような形状とすることができる。
【００５０】
なお、窪み４５の平面視の外周の各辺は、直線には限定されず、曲線を有していても、凹凸を有していてもよい。また、斜面４６とカード挿抜面４４との縁は、カード部品４２が回転するときの回転軸が形成されていれば、直線には限定されず、曲線を有していても、凹凸を有していてもよい。
【００５１】
なお、カード部品４２の平面視での形状は、長方形には限定されない。カード部品４２は各種多角形や円形や楕円形、また、平面視の外周に凹凸を有する形状とすることができる。
【００５２】
図７は、本実施形態のカード部品挿抜構造４０の変形例を示す図である。図７では、カード部品挿抜構造４０のＥ−Ｅ断面とＥ’−Ｅ’断面とを示す。なお、Ｅ’−Ｅ’断面では、コネクタ４１の表記は省略されている。
【００５３】
図７に示すように、カード挿抜面４４には、カード部品４２を挿抜する方向に沿ってレール４８となる凸部を設けることができる。レール４８は、カード部品４２と接することで、カード挿抜面４４の全体がカード部品４２に接することを防ぐ。これにより、カード部品４２の挿抜の際に、カード部品４２とカード挿抜面４４との摩擦を軽減し、挿抜の操作性を向上させることができる。また、レール４８の間隔を広げて指先がレール４８に当たりにくくし、指先でカード部品４２を真横からコネクタ４１に押し込み易くすることで、カード部品４２の挿入性を向上させることができる。
【００５４】
また、図７に示すように、カード挿抜面４４や窪み４５を露出させているケース４３の外表面の端部４９ａや角部４９ｂに、丸みもしくは斜面を持たせることができる。これにより、端部４９ａや角部４９ｂが直角の場合に比べて、狭いスペースでも指先でのカード部品４２の挿抜の際の操作性を向上させることができる。図７では、端部４９ａや角部４９ｂに丸みを持たせた場合を示しているが、斜面としてもよい。
【００５５】
本実施形態のカード部品挿抜構造４０を用いた電子機器４は、スマートフォンや携帯電話などの通信機器、タブレット端末やノートＰＣ（Ｐｅｒｓｏｎａｌ  Ｃｏｍｐｕｔｅｒ）などの情報機器などとすることができる。また、カード部品４２は、Ｕ−ＳＩＭカードやＳＤカードなどの半導体メモリを用いたメモリカードとすることができる。
【００５６】
なお、本実施形態のカード部品挿抜構造４０は、図１７と図１８に示すような、電池の収納スペースの端面や底面にコネクタを設けている電子機器に使用することもできる。
【００５７】
図８は、本実施形態のカード部品挿抜構造４０の、カード部品４２を抜去する動作を説明するための図である。（ａ）は、カード部品４２がコネクタ４１に挿入されている状態である。（ｂ）は、カード部品４２が、コネクタ４１の端部から露出しているカード部品４２の端部が爪などで引っ掛けられてカード挿抜面４４に沿って引き抜かれ、カード挿抜面４４上にある状態である。（ｃ）は、カード部品４２が指先によりさらに引き抜かれて、カード部品４２の端部が斜面４６に差し掛かり、窪み４５の上に位置するカード部品４３の部分が、指先で窪み４５に押し込まれ始めている状態である。
【００５８】
（ｄ）は、指先がカード部品４２の端部を窪み４５に、さらに押し込んでいる状態である。このとき、カード部品４２の端部は、斜面４６’に沿って押し込まれてもよい。カード部品４２は、斜面４６とカード挿抜面４４との縁に沿って回転しながら傾いて行く。このとき、前記縁に接するカード部品４２の底面の位置は、一定の位置でもよく、また、移動してもよい。
【００５９】
（ｅ）は、カード部品４２の端部がさらに押し込まれ、窪み４５の底４７に差し掛かっている状態である。（ｆ）は、カード部品４２の端部が窪み４５の底４７に到達し、カード部品４２の裏面が斜面４６に接している状態である。この状態で、指先でカード部品４２を摘み、取り出すことができる。
【００６０】
本実施形態によれば、指先で、カード部品４２を窪み４５により傾けて摘み出すことができる。よって、カード部品４２をコネクタ４１から引き抜く方向の延長上に存在する電子機器４のケース４３に切り欠きを設ける必要がないため、デザインへの制約を抑制できる。また、窪み４５は斜面を有してカード挿抜面４４と繋がっているため、カード部品４２は斜面に沿って傾くことができる。これにより、段差がある場合に生じ易い、カード部品４２が段差で急速に大きく傾くことで弾かれて飛び出すことが抑制され、カード部品４２を紛失したり壊したりする危険が抑制される。
【００６１】
また、カード挿抜面４４は露出しているので、カード部品４２を抜去する前に電池を取り外すなどの手間が要らず、抜去の際の作業工数が抑制される。さらに、バネなどの追加の部品を必要としないため、部品点数が抑制されコストが抑制される。
【００６２】
以上のように、本実施形態によれば、デザインの制約を抑制しつつ、容易かつ安全にカード部品を挿抜するカード部品挿抜構造を、部品点数を少なく実現することができる。
（第５の実施形態）
図９は、本発明の第５の実施形態のカード部品挿抜構造５０およびこれを用いた電子機器５を示す図である。図９では、電子機器５の上面図と、カード挿抜構造５０のＦ−Ｆ断面から矢印Ｆ’の方向を見た図とを示す。
【００６３】
本実施形態のカード部品挿抜構造５０は、カード部品５２を挿抜するコネクタ５１と、コネクタ５１から引き抜かれたカード部品５２を載置するカード挿抜面５４とを有する。カード挿抜面５４は、コネクタ５１に保持された状態でのカード部品５２の底面と略同一面上に存し、電子機器５の外枠であるケース５３の外表面より内側で露出している。
【００６４】
さらに、カード挿抜面５４は、カード部品５２の挿抜方向の垂直方向に、カード部品５２の幅よりも大きい幅の窪み５５を有する。さらに、窪み５５は、斜面５６を有して挿抜方向のカード挿抜面５４に繋がる。ここで、カード部品５２の幅とは、カード部品５２の挿抜方向に垂直方向のカード部品５２の長さをいう。
【００６５】
本実施形態のカード部品挿抜構造５０の第４の実施形態のカード部品挿抜構造４０との違いは、以下の点である。すなわち、カード部品挿抜構造５０は、カード挿抜面５４のカード部品５２をコネクタ５１から引き抜く方向の先端部分に窪み５５を有し、窪み５５は斜面５６でカード挿抜面５４に繋がっている点が異なる。その他の構造や電子機器５は、第４の実施形態と同様である。
【００６６】
図１０は、本実施形態のカード部品挿抜構造５０の、カード部品５２を抜去する動作を説明するための図である。（ａ）は、カード部品５２がコネクタ５１に挿入されている状態である。（ｂ）は、カード部品５２が、コネクタ５１の端部から露出しているカード部品５２の端部が爪などで引っ掛けられてカード挿抜面５４に沿って引き抜かれ、カード挿抜面５４上にある状態である。さらに（ｂ）では、カード部品５２の先端部が窪み５５の斜面５６に差し掛かった状態にある。
【００６７】
（ｃ）は、窪み５５の上に位置するカード部品５２の先端部分が、指先で窪み５５に押し込まれ始めている状態である。このとき、カード部品５２は、斜面５６とカード挿抜面５４の縁に沿って、回転しながら傾いて行く。このとき、前記縁に接するカード部品５２の底面の位置は、一定の位置でもよく、また、移動してもよい。（ｄ）は、カード部品５２の先端部が窪み５５の底に到達し、カード部品５２の裏面が斜面５６に接している状態である。この状態で、指先でカード部品５２を摘み、取り出すことができる。
【００６８】
本実施形態によれば、指先で、カード部品５２を窪み５５により傾けて摘み出すことができる。よって、カード部品５２をコネクタ５１から引き抜く方向の延長上に存在する電子機器５のケース５３に切り欠きを設ける必要がないため、デザインへの制約を抑制できる。また、窪み５５は斜面を有してカード挿抜面５４と繋がっているため、カード部品５２は斜面に沿って傾くことができる。これにより、段差がある場合に生じ易い、カード部品５２が段差で急速に大きく傾くことで弾かれて飛び出すことが抑制され、カード部品５２を紛失したり壊したりする危険が抑制される。
【００６９】
また、カード挿抜面５４は露出しているので、カード部品５２を抜去する前に電池を取り外すなどの手間が要らず、抜去の際の作業工数が抑制される。さらに、バネなどの追加の部品を必要としないため、部品点数が抑制されコストが抑制される。
【００７０】
以上のように、本実施形態によれば、デザインの制約を抑制しつつ、容易かつ安全にカード部品を挿抜するカード部品挿抜構造を、部品点数を少なく実現することができる。
（第６の実施形態）
図１１は、本発明の第６の実施形態のカード部品挿抜構造６０およびこれを用いた電子機器６を示す図である。図１１では、電子機器６の上面図と、カード挿抜構造６０のＧ−Ｇ断面から矢印Ｇ’の方向を見た図とを示す。
【００７１】
本実施形態のカード部品挿抜構造６０は、カード部品６２を挿抜するコネクタ６１と、コネクタ６１から引き抜かれたカード部品６２が位置するカード挿抜面６４とを有する。カード挿抜面６４は、コネクタ６１に保持された状態でのカード部品６２の底面と略同一面上に存し、電子機器６の外枠であるケース６３の外表面より内側で露出している。
【００７２】
さらに、カード挿抜面６４は、カード部品６２の挿抜方向に、カード部品６２の奥行きよりも大きい幅の窪み６５を有する。さらに、窪み６５は、前記挿抜方向に垂直方向のカード挿抜面６４に繋がる部分に斜面６６を有する。ここで、カード部品６２の奥行きとは、挿抜方向のカード部品６２の長さをいう。
【００７３】
なお、図１１のカード部品挿抜構造６０では、カード挿抜面６４に、カード部品６２を挿抜する方向に沿ったレール６７（凸部）が設けられている場合を示している。レール６７は、カード部品６２と接することで、カード挿抜面６４の全体がカード部品６２に接することを防ぐ。これにより、カード部品６２の挿抜の際に、カード部品６２とカード挿抜面６４との摩擦を軽減し、挿抜の操作性を向上させることができる。
【００７４】
本実施形態のカード部品挿抜構造６０の第４の実施形態のカード部品挿抜構造４０との違いは、以下の点である。すなわち、カード部品挿抜構造６０は、カード挿抜面６４のカード部品６２の挿抜方向に、カード部品６２の奥行きよりも大きい幅の窪み６５を有し、窪み６５は斜面６６でカード挿抜面６４に繋がっている点が異なる。その他の構造や電子機器６は、第４の実施形態と同様である。
【００７５】
図１２は、本実施形態のカード部品挿抜構造６０の、カード部品６２を抜去する動作を説明するための図である。（ａ）は、カード部品６２が、コネクタ６１の端部から露出しているカード部品６２の端部が爪などで引っ掛けられてカード挿抜面６４に沿って引き抜かれ、カード挿抜面６４上にある状態である。このとき、カード部品６２の幅方向の一方の側端部は、窪み６５の斜面６６に差し掛かっている。
【００７６】
（ｂ）は、指先がカード部品６２の側端部を窪み６５に押し込んで、カード部品６２の側端部が斜面６６に沿って窪み６５の底に到達している状態である。（ｃ）は、（ｂ）の状態から、指先でカード部品６２を摘んで抜去している状態である。（ｃ）のとき、カード部品６２は、（ｄ）のように、カード挿抜面６４を露出させている外表面の端部に接してもよい。この端部は、角が落とされていたり、丸みを帯びていたりすることができる。
【００７７】
本実施形態によれば、指先で、カード部品６２を窪み６５により傾けて摘み出すことができる。よって、カード部品６２をコネクタ６１から引き抜く方向の延長上に存在する電子機器６のケース６３に切り欠きを設ける必要がないため、デザインへの制約を抑制できる。また、窪み６５は斜面を有してカード挿抜面６４と繋がっているため、カード部品６２は斜面に沿って傾くことができる。これにより、段差がある場合に生じ易い、カード部品６２が段差で急速に大きく傾くことで弾かれて飛び出すことが抑制され、カード部品６２を紛失したり壊したりする危険が抑制される。
【００７８】
また、カード挿抜面６４は露出しているので、カード部品６２を抜去する前に電池を取り外すなどの手間が要らず、抜去の際の作業工数が抑制される。さらに、バネなどの追加の部品を必要としないため、部品点数が抑制されコストが抑制される。
【００７９】
以上のように、本実施形態によれば、デザインの制約を抑制しつつ、容易かつ安全にカード部品を挿抜するカード部品挿抜構造を、部品点数を少なく実現することができる。
【００８０】
本発明は上記実施形態に限定されることなく、特許請求の範囲に記載した発明の範囲内で種々の変形が可能であり、それらも本発明の範囲内に含まれるものである。
【００８１】
また、上記の実施形態の一部又は全部は、以下の付記のようにも記載され得るが、以下には限られない。
（付記１）
平板部品を挿抜自在に保持する保持部材と、
前記保持された状態での前記平板部品の底面と略同一面上に存し、前記保持部材から引き抜かれた前記平板部品を載置し、前記平板部品の外周よりも外側に外周を有して露出している載置面を有する載置部材と、を備え、
前記載置面に凹部を有し、前記凹部は、前記凹部の開口部の縁に沿う回転軸での前記平板部品の回転を前記載置面から１／４回転未満に規制する係止部を有する、挿抜構造。
（付記２）
前記係止部は、斜面である、付記１記載の挿抜構造。
（付記３）
前記凹部は、前記平板部品の挿抜方向または前記挿抜方向の垂直方向に、前記平板部品の前記挿抜方向の幅または前記挿抜方向に垂直方向の幅よりも大きい幅を有し、前記挿抜方向の垂直方向または前記挿抜方向に前記斜面を有する、付記２記載の挿抜構造。
（付記４）
前記凹部は、前記凹部の前記保持部材の側に第１の斜面を有し、前記凹部の前記保持部材の反対側に第２の斜面を有する、付記２または３記載の挿抜構造。
（付記５）
前記係止部は、前記凹部の底面と側面の少なくとも一つに設けられている凸部を有する、付記１記載の挿抜構造。
（付記６）
前記凹部は、前記平板部品と前記凹部とが前記回転の回転軸に沿う線分を共有することとなるような深さを有する、付記１から５の内の１項記載の挿抜構造。
（付記７）
前記載置面は、前記平板部品と接する凸部を有する、付記１から６の内の１項記載の挿抜構造。
（付記８）
前記平板部品は、メモリカードを含む、付記１から７の内の１項記載の挿抜構造。
（付記９）
前記保持部材は、コネクタを含む、付記１から８の内の１項記載の挿抜構造。
（付記１０）
付記１から９の内の１項記載の挿抜構造を備えている電子機器。
（付記１１）
外枠を有し、前記載置面が前記外枠よりも内側で露出している、付記１０記載の電子機器。
（付記１２）
前記外枠の前記載置面を露出させている端部が丸みもしくは斜面を有する、付記１０または１１記載の電子機器。
【符号の説明】
【００８２】
１、２、３、４、５、６    電子機器
１０、２０、３０    挿抜構造
１１、２１、３１    保持部材
１２、２２、３２    平板部品
１３、２３、３３    載置部材
１４、２４、３４    載置面
１５、２５、３５    凹部
１５１、２５１、３５１    開口部
１５２、２５２、３５２    縁
２５３、３５３    深さ
１６    係止部
２６    斜面
３６    凸部
１７、２７、３７    回転軸
１８、２８、３８    側面
４０、５０、６０    カード部品挿抜構造
４１、５１、６１    コネクタ
４２、５２、６２    カード部品
４３、５３、６３    ケース
４４、４４、４４    カード挿抜面
４５、５５、６５    窪み
４６、４６’、５６、６６    斜面
４７    底
４８、６７    レール
４９ａ    端部
４９ｂ    角部
【図１】
0006342950.tif 000002
【図２】
0006342950.tif 000003
【図３】
0006342950.tif 000004
【図４】
0006342950.tif 000005
【図５】
0006342950.tif 000006
【図６】
0006342950.tif 000007
【図７】
0006342950.tif 000008
【図８】
0006342950.tif 000009
【図９】
0006342950.tif 000010
【図１０】
0006342950.tif 000011
【図１１】
0006342950.tif 000012
【図１２】
0006342950.tif 000013
【図１３】
0006342950.tif 000014
【図１４】
0006342950.tif 000015
【図１５】
0006342950.tif 000016
【図１６】
0006342950.tif 000017
【図１７】
0006342950.tif 000018
【図１８】
0006342950.tif 000019